(57)【要約】【課題】簡易な回路構成で比較的精度よくアンテナ特性の劣化を防止することができる携帯無線端末を提供する。【解決手段】携帯無線端末は、複数のアンテナ１，２と、人体の接近を検知すると検知信号を出力する複数の位置検出手段３，４と、複数種類のインピーダンス調整を行うことが可能な整合回路５と、検知信号を出力した位置検出手段がいずれの位置検出手段であるかに応じて複数のアンテナから一のアンテナを選択するアンテナ選択処理を実行するアンテナ選択手段６と、検知信号を出力した位置検出手段がいずれの位置検出手段であるかに応じたインピーダンス調整を整合回路５に行わせるインピーダンス整合処理を実行するインピーダンス整合手段７とを備えている。【選択図】図６
2010239182.tif 000002
【特許請求の範囲】
【請求項１】
複数のアンテナを備えた携帯無線端末であって、
人体の接近を検知すると検知信号を出力する複数の位置検出手段と、
複数種類のインピーダンス調整を行うことが可能な整合回路と、
検知信号を出力した位置検出手段がいずれの位置検出手段であるかに応じて複数のアンテナから一のアンテナを選択するアンテナ選択処理を実行するアンテナ選択手段と、
検知信号を出力した位置検出手段がいずれの位置検出手段であるかに応じたインピーダンス調整を前記整合回路に行わせるインピーダンス整合処理を実行するインピーダンス整合手段とを備えた
ことを特徴とする携帯無線端末。
【請求項２】
携帯無線端末は、第１筐体と第２筐体とを含む折り畳み型の携帯電話機であり、
位置検出手段は、少なくとも前記第１筐体と前記第２筐体とに設置されている
請求項１記載の携帯無線端末。
【請求項３】
アンテナ選択手段は、通信中に常時アンテナ選択処理を実行し、
インピーダンス整合手段は、通信中に常時インピーダンス整合処理を実行する
請求項１または請求項２記載の携帯無線端末。
【請求項４】
アンテナ選択手段は、検知信号を出力した位置検出手段が設置されている位置から遠い方に設置されているアンテナを選択する
請求項１から請求項３のうちのいずれか１項に記載の携帯無線端末。
【請求項５】
アンテナ選択手段は、受けた電波にもとづく受信電界強度が高い方のアンテナを選択する
請求項１から請求項３のうちのいずれか１項に記載の携帯無線端末。
【請求項６】
複数のアンテナを備えた携帯無線端末におけるアンテナ選択方法であって、
人体の接近を検知すると検知信号を出力する複数の位置検出手段のうち検知信号を出力した位置検出手段がいずれの位置検出手段であるかに応じて複数のアンテナから一のアンテナを選択するアンテナ選択処理を実行し、
複数種類のインピーダンス調整を行うことが可能な整合回路に、前記複数の位置検出手段のうち検知信号を出力した位置検出手段がいずれの位置検出手段であるかに応じたインピーダンス調整を行わせるインピーダンス整合処理を実行する
ことを特徴とするアンテナ選択方法。
【請求項７】
通信中に常時アンテナ選択処理を実行し、
通信中に常時インピーダンス整合処理を実行する
請求項６記載のアンテナ選択方法。
【請求項８】
アンテナ選択処理で、検知信号を出力した位置検出手段が設置されている位置から遠い方に設置されているアンテナを選択する
請求項６または請求項７記載のアンテナ選択方法。
【請求項９】
アンテナ選択処理で、受けた電波にもとづく受信電界強度が高い方のアンテナを選択する
請求項６または請求項７記載のアンテナ選択方法。
【発明の詳細な説明】
【技術分野】
【０００１】
本発明は、複数のアンテナを備えた携帯無線端末、および複数のアンテナから１つのアンテナを選択するアンテナ選択方法に関する。
【背景技術】
【０００２】
携帯無線端末の小型化および薄型化に伴って、携帯無線端末に備えられているアンテナに人体が接近したときにアンテナ特性が変化する傾向が強くなっている。すなわち、人体がアンテナに接近したことに起因して、アンテナ自体のインピーダンスが変化したりアンテナの共振周波数がずれることがある。また、接合ロスが増加してアンテナ特性が変化する。そして、アンテナ特性の変化にもとづいて、電波の受信感度の低下や送信出力の低下を招く場合がある。
【０００３】
人体がアンテナに接近してもアンテナ特性が変化しないようにするために、複数の整合回路を備え、人体の接近状況に応じて整合回路を選択することが考えられる。例えば、携帯無線端末における複数の位置のそれぞれに対応する整合回路を設ける。そして、ユーザが実際に接触した位置を検知し、検知した位置に対応する整合回路を選択する。それぞれの整合回路は、対応する位置に人体が接触したときに良好なアンテナ特性が得られるように構成される。
【０００４】
しかし、実際には、ユーザは、携帯無線端末における様々な位置に接触する。よって、人体の接近状況に応じて整合回路を選択する方式を採用する場合には、様々な位置のそれぞれに応じた多数の整合回路を携帯無線端末に備えることが求められる。しかし、現実には、小型化された携帯無線端末に多数の整合回路を搭載することは困難である。
【０００５】
特許文献１には、移動体通信装置におけるインピーダンス整合を行うインピーダンス整合回路が記載されている。特許文献１に記載されたインピーダンス整合回路は、移動体通信装置における利用者の手の接触位置を検出する。そして、接触位置に応じて信号源インピーダンスを動的に調整して、利用者の手によって引き起こされたアンテナの負荷インピーダンスの変化を補償する。具体的には、移動体通信装置における種々の位置のそれぞれに対応する設定値が設定されたテーブルがあらかじめメモリに格納される。そして、ユーザが実際に接触した位置を検知し、検知した位置に対応するパラメータを選択し、設定値に従ってインピーダンス整合回路の回路定数等を設定する。特許文献１に記載された移動体通信装置では、１つの整合回路のみで、アンテナ特性の切替が実現されている。
【先行技術文献】
【特許文献】
【０００６】
【特許文献１】特表２００７−５３６７９７号公報
【発明の概要】
【発明が解決しようとする課題】
【０００７】
しかし、特許文献１に記載されたインピーダンス整合回路には、複数の整合回路を備え人体の接近状況に応じて整合回路を選択するように構成された装置における課題と同様の課題がある。すなわち、ユーザは、携帯無線端末における様々な位置に接触する。よって、人体の接近状況に応じて整合回路を選択する方式を採用する場合には、様々な位置のそれぞれに応じた多数の設定値をメモリに格納し、インピーダンス整合回路を多数の設定値の全てに対応可能にしておかなければならない。しかし、現実には、多数の設定値の全てに対応可能にインピーダンス整合回路を構成することは難しい。
【０００８】
そこで、本発明は、人体の接触または接近を検知する位置検出手段の出力を用いてアンテナ特性の劣化を防止するように構成されている場合に、簡易な回路構成で比較的精度よくアンテナ特性の劣化を防止することができる携帯無線端末およびアンテナ選択方法を提供することを目的とする。
【課題を解決するための手段】
【０００９】
本発明による携帯無線端末は、複数のアンテナを備えた携帯無線端末であって、人体の接近を検知すると検知信号を出力する複数の位置検出手段と、複数種類のインピーダンス調整を行うことが可能な整合回路と、検知信号を出力した位置検出手段がいずれの位置検出手段であるかに応じて複数のアンテナから一のアンテナを選択するアンテナ選択処理を実行するアンテナ選択手段と、検知信号を出力した位置検出手段がいずれの位置検出手段であるかに応じたインピーダンス調整を整合回路に行わせるインピーダンス整合処理を実行するインピーダンス整合手段とを備えたことを特徴とする。
【００１０】
本発明によるアンテナ選択方法は、複数のアンテナを備えた携帯無線端末におけるアンテナ選択方法であって、人体の接近を検知すると検知信号を出力する複数の位置検出手段のうち検知信号を出力した位置検出手段がいずれの位置検出手段であるかに応じて複数のアンテナから一のアンテナを選択するアンテナ選択処理を実行し、複数種類のインピーダンス調整を行うことが可能な整合回路に、複数の位置検出手段のうち検知信号を出力した位置検出手段がいずれの位置検出手段であるかに応じたインピーダンス調整を行わせるインピーダンス整合処理を実行することを特徴とする。
【発明の効果】
【００１１】
本発明によれば、簡易な回路構成で比較的精度よくアンテナ特性の劣化を防止することができる。
【図面の簡単な説明】
【００１２】
【図１】本発明による携帯無線端末を示す斜視図である。
【図２】図１に示された携帯無線端末の構成を示すブロック図である。
【図３】ユーザと携帯無線端末との位置関係の一例を示す説明図である。
【図４】ユーザと携帯無線端末との位置関係の他の例を示す説明図である。
【図５】携帯無線端末の動作を示すフローチャートである。
【図６】本発明による携帯無線端末の主要部を示すブロック図である。
【発明を実施するための形態】
【００１３】
図１は、本発明による携帯無線端末を示す斜視図である。図２は、図１に示された携帯無線端末の構成を示すブロック図である。図１および図２を参照して、本発明による携帯無線端末の具体的な実施形態を説明する。なお、本実施形態では、携帯無線端末として、折り畳み型の携帯電話機を例にする。
【００１４】
携帯電話機１０は、ＬＣＤ表示部１１、アンテナ（第１アンテナ）１２、アンテナ（第２アンテナ）１３、センサ（第１センサ）１４、センサ（第２センサ）１５、キー操作部１６およびバッテリ１７を備えている。すなわち、携帯電話機１０は、複数のアンテナ１２，１３を有する。また、携帯電話機１０は、制御部２１、整合回路２２、無線部２３およびメモリ２４を備えている。
【００１５】
ＬＣＤ表示部１１は、ユーザが視認可能な情報を表示する。
【００１６】
アンテナ１２およびアンテナ１３は、携帯電話機１０において空間から電波を受信しやすいと考えられる箇所に、離間して配置される。アンテナ１２は、例えば、上部筐体１０１と下部筐体１０２を有する携帯電話機１０におけるヒンジ部分に配置され、アンテナ１３は、携帯電話機１０の下部筐体１０２に配置されている。
【００１７】
整合回路２２は、インピーダンス整合を行う回路であるが、アンテナ選択機能も有する。整合回路２２は、アンテナ１２とアンテナ１３とのうちの選択されたアンテナからの受信信号を無線部２３に出力する。また、整合回路２２は、アンテナ１２とアンテナ１３とのうちの選択されたアンテナに、無線部２３からの送信信号を出力する。なお、本実施形態では、アンテナ１２およびアンテナ１３は内蔵型アンテナであるとするが、アンテナ１２，１３は、内蔵型アンテナに限られない。
【００１８】
センサ１４は、人体の頬が接近したこと検知するために、例えば、ＬＣＤ表示部１１の横に設置される。センサ１５は、筐体が人体の手で覆われたことを検知するために、例えば、携帯電話機１０における下部筐体１０２の側部に設置される。センサ１４およびセンサ１５は、人体の携帯電話機１０への接近を検知することができる近接センサである。センサ１４およびセンサ１５は、人体の所定の距離以内への接近を検知すると、検知信号を制御部２１に出力する。なお、人体が接触している状態も一種の接近状態であるとする。
【００１９】
図３は、ユーザと携帯無線端末との位置関係の一例を示す説明図である。図３には、ユーザが通話を行うときのユーザと携帯無線端末との位置関係が例示されている。図３に示すように、ユーザが通話を行っているときには、センサ１４はユーザの耳部またはユーザの頭部の接近を検知して検知信号を出力する。また、ユーザが携帯電話機１０の下部筐体１０２を持って通話しているときには、センサ１５は、ユーザの手の接近を検知して検知信号を出力する。
【００２０】
図４は、ユーザと携帯無線端末との位置関係の他の例を示す説明図である。図４には、電子メールの作成時等のキー操作が行われているときのユーザと携帯無線端末との位置関係が例示されている。図４に示すように、ユーザがキー操作部１６においてキー操作を行っているときには、センサ１５はユーザの手の接近を検知して検知信号を出力する。
【００２１】
制御部２１は、センサ１４およびセンサ１５から出力される検知信号の組み合わせにもとづいて、携帯電話機１０におけるユーザが接近している位置を判定することができる。メモリ２４には、携帯電話機１０における位置を示す位置データと、位置データに対応する選択データとが記憶されている。選択データは、選択されるべきアンテナを示すデータと、整合回路における回路設定を示すデータとを含む。
【００２２】
キー操作部１６は、ユーザによるキー操作に対応する操作信号を制御部２１に出力する。バッテリ１７は、携帯電話機１０における各ブロックに電力を供給する。制御部２１は、携帯電話機１０における各ブロックを制御する。
【００２３】
整合回路２２は、アンテナ１２またはアンテナ１３と、無線部２３とのインピーダンス整合を行う回路である。整合回路２２は、例えば、複数のリアクタンス素子を含む。また、制御部２１からの制御信号に従ってスイッチングを行う電界効果トランジスタ（ＦＥＴ）やＰＩＮダイオード等のスイッチ回路を含む。整合回路２２において、スイッチ回路によるスイッチングによって、受信信号および送信信号の信号線に接続されるリアクタンス素子が選択される。その結果、インピーダンスが変化する。
【００２４】
無線部２３は、アンテナ１２またはアンテナ１３から整合回路２２を介して入力された受信信号を対象にして周波数変換処理や復調処理を行う。そして、周波数変換処理や復調処理によって得られた受信データを制御部２１に出力する。また、無線部２３は、制御部２１からの送信データを対象にして変調処理や周波数変換処理を行う。変調処理や周波数変換処理によって得られた送信信号は、整合回路２２を介してアンテナ１２またはアンテナ１３に出力される。
【００２５】
図５は、図１に示された携帯電話機１０の動作を示すフローチャートである。図５を参照して、携帯電話機１０において、アンテナを選択し、かつ、整合回路の設定を変更する処理を説明する。
【００２６】
メモリ２４には、携帯電話機１０における複数の位置のそれぞれを示す位置データと、位置データに対応する選択データ（選択されるべきアンテナを示すデータと整合回路における回路設定を示すデータ）が記憶されている。図５に示す処理が実行される場合には、第１位置、第２位置、第３位置および初期状態を示す位置データ（第１位置データ、第２位置データ、第３位置データおよび初期状態データ）がメモリ２４に記憶される。第１位置、第２位置および第３位置は、それぞれ、人体が接近している位置である。初期状態は、携帯電話機１０に人体が接近していない状態である。
【００２７】
第１位置データは、携帯電話機１０における上部筐体１０１の位置、および下部筐体１０２の位置を表している。すなわち、第１位置データは、人体が上部筐体１０１と下部筐体１０２の双方に接近していることを示すデータに相当する。第２位置データは、携帯電話機１０における上部筐体１０１の位置を表している。すなわち、第２位置データは、人体が上部筐体１０１のみに接近していることを示すデータに相当する。第３位置データは、携帯電話機１０における下部筐体１０２の位置を表している。すなわち、第３位置データは、人体が下部筐体１０２のみに接近していることを示すデータに相当する。
【００２８】
また、メモリ２４には、第１位置データに対応する選択データとして、例えば、アンテナ１２を選択することを示すデータ、およびアンテナ１２を使用する場合であって人体が上部筐体１０１と下部筐体１０２の双方に接近したときにアンテナ特性を最良にする整合回路における回路設定を示すデータが記憶されている。第２位置データに対応する選択データとして、例えば、アンテナ１３を選択することを示すデータ、およびアンテナ１３を使用する場合であって人体が上部筐体１０１に接近したときにアンテナ特性を最良にする整合回路における回路設定を示すデータが記憶されている。第３位置データに対応する選択データとして、例えば、アンテナ１２を選択することを示すデータ、およびアンテナ１２を使用する場合であって人体が下部筐体１０２に接近したときにアンテナ特性を最良にする整合回路における回路設定を示すデータが記憶されている。
【００２９】
なお、本実施形態では、アンテナ選択の基準は、携帯電話機１０において人体が接触している箇所から遠い方のアンテナを選択するということである。しかし、そのような基準ではなく、例えば、実験によって、携帯電話機１０における人体が接触している複数の箇所のそれぞれと複数のアンテナのそれぞれとの各組合わせについてアンテナ特性を示す信号（例えば、受信電界強度）を観測し、最もアンテナ特性がよいアンテナを、人体が接触している箇所に対応するアンテナとするようにしてもよい。
【００３０】
携帯電話機１０が通信中である場合に（ステップＳ１１）、制御部２１は、第１センサとしてのセンサ１４から人体の接近を検知して検知信号が出力されているか否か確認する（ステップＳ１２）。なお、通信中は、通話中またはデータ送受信中である。また、第１センサとしてのセンサ１４は、人体の頬が接近したこと検知するために、例えば、ＬＣＤ表示部１１の横に設置されている（図１参照）。
【００３１】
センサ１４から検知信号が出力されていることを確認した場合には、制御部２１は、第２センサとしてのセンサ１５から人体の接近を検知して検知信号が出力されているか否か確認する（ステップＳ１３）。なお、第２センサとしてのセンサ１５は、下部筐体１０２が人体の手で覆われたことを検知するために、携帯電話機１０における下部筐体１０２の側部に設置されている（図１参照）。センサ１５から検知信号が出力されていることを確認した場合には、ステップＳ１５に移行する。センサ１５から検知信号が出力されていないことを確認した場合には、ステップＳ１６に移行する。
【００３２】
ステップＳ１２の処理で、センサ１４から検知信号が出力されていないことを確認した場合には、制御部２１は、センサ１５から検知信号が出力されているか否か確認する（ステップＳ１４）。センサ１５から検知信号が出力されていることを確認した場合には、ステップＳ１７に移行する。センサ１５から検知信号が出力されていないことを確認した場合には、ステップＳ１８に移行する。
【００３３】
ステップＳ１５では、制御部２１は、メモリ２４から、第１位置データに対応する選択データを読み出す。その選択データは、例えば、アンテナ１２を選択することを示すデータ、およびアンテナ１２を使用する場合であって人体が上部筐体１０１と下部筐体１０２の双方に接近したときにアンテナ特性を最良にする整合回路における回路設定を示すデータである。そして、制御部２１は、メモリ２４から読み出した選択データを整合回路２２に出力する。整合回路２２は、入力したデータにもとづいて、回路定数の設定を行うとともに、データで示される方のアンテナを選択する。具体的には、以後、データで示される方のアンテナを信号の入出力対象にする。
【００３４】
ステップＳ１６では、制御部２１は、メモリ２４から、第２位置データに対応する選択データを読み出す。その選択データは、例えば、アンテナ１３を選択することを示すデータ、およびアンテナ１３を使用する場合であって人体が上部筐体１０１に接近したときにアンテナ特性を最良にする整合回路における回路設定を示すデータである。そして、制御部２１は、メモリ２４から読み出した選択データを整合回路２２に出力する。整合回路２２は、入力したデータにもとづいて、回路定数の設定を行うとともに、データで示される方のアンテナを選択する。
【００３５】
ステップＳ１７では、制御部２１は、メモリ２４から、第３位置データに対応する選択データを読み出す。その選択データは、例えば、アンテナ１２を選択することを示すデータ、およびアンテナ１２を使用する場合であって人体が下部筐体１０２に接近したときにアンテナ特性を最良にする整合回路における回路設定を示すデータである。そして、制御部２１は、メモリ２４から読み出した選択データを整合回路２２に出力する。整合回路２２は、入力したデータにもとづいて、回路定数の設定を行うとともに、データで示される方のアンテナを選択する。
【００３６】
ステップＳ１８では、制御部２１は、メモリ２４から、初期状態に対応する選択データを読み出す。その選択データは、例えば、アンテナ１２（アンテナ１３でもよい。）を選択することを示すデータ、およびアンテナ１２を使用する場合であって人体が携帯電話機１０に接近していない場合にアンテナ特性を最良にする整合回路における回路設定を示すデータである。そして、制御部２１は、メモリ２４から読み出した選択データを整合回路２２に出力する。整合回路２２は、入力したデータにもとづいて、回路定数の設定を行うとともに、データで示される方のアンテナを選択する。なお、初期状態は、例えば、ユーザが、携帯電話機１０を机上に置いたままパーソナルコンピュータとの通信を行ったり、地上デジタルテレビジョン放送を視聴したりする状態である。
【００３７】
ステップＳ１５〜Ｓ１８におけるそれぞれの処理が終了すると、ステップＳ１１に戻る。すなわち、ステップＳ１５〜Ｓ１８は、通信中に常時実行される。よって、通話中にユーザが携帯電話機１０の持ち方を変えたこと等によって、センサ１４またはセンサ１５からの検知信号の出力状況が変わった場合には、制御部２１は、ステップＳ１２〜Ｓ１８における処理を行なって、整合回路２２にアンテナおよび回路定数を切り替えさせる。なお、切り替えは、アンテナおよびインピーダンス整合の変更が通信に影響を与えない時点において実行されることが好ましい。また、通信中ではなくなったときには、ステップＳ１５〜Ｓ１８の処理を実行しない状態に移行する。
【００３８】
本実施形態の携帯無線端末は、アンテナと人体との位置関係を自動的に判定し、判定した位置関係に応じてアンテナを選択する。さらに、選択したアンテナと、アンテナと人体との位置関係とに応じてインピーダンス整合を行う。よって、人体の接触または接近を検知する位置検出手段の出力を用いてアンテナ特性の劣化を防止するように構成されている場合に、インピーダンス整合のみで対応する場合や複数のアンテナから使用アンテナを選択することのみで対応する場合に比べて、簡易な回路構成で比較的精度よくアンテナ特性の劣化を防止することができる。
【００３９】
なお、本実施形態の携帯無線端末には、２つのアンテナ１２，１３が設けられているが、アンテナの数は２つに限られず、３つ以上のアンテナが設けられていてもよい。
【００４０】
また、人体の接近を検知する位置検出手段として２個のセンサ（センサ１４およびセンサ１５）を用いたが、センサの個数は２個に限られない。センサの個数を２個よりも多くすると、人体の接近を検出できる箇所が増加する。制御部２１は、よりきめ細かく整合回路の設定を行うことができるので、アンテナ特性の劣化をより効果的に防止することができる。
【００４１】
例えば、スライド式の携帯電話機では、ＬＣＤ表示部の周辺に多くのセンサを設置したり、ストレート式の携帯電話機では、手で覆われる機会が多い部分に多くのセンサを設置したりする。
【００４２】
なお、センサとして、近接センサの他、照度センサ、赤外線センサ、温度センサまたは圧力センサのように人体の接近を識別可能な機能を備えた汎用的なセンサを利用することができる。また、それらのセンサを組み合わせて使用してもよい。
【００４３】
また、本実施形態では、アンテナ選択の基準は、携帯電話機１０において人体が接触している箇所から遠い方のアンテナを選択することであり、位置データに応じて選択されるアンテナがあらかじめ定められているが、制御部２１は、検知信号を出力したセンサ１４，１５がいずれのセンサであるかに応じて複数のアンテナ１２，１３から一のアンテナを選択するアンテナ選択処理を実行する際に、双方のアンテナ１２，１３で受けた電波にもとづく受信電界強度を整合回路２２から入力し、受信電界強度が高い方のアンテナを選択するようにしてもよい。
【００４４】
また、本実施形態では、携帯無線端末として携帯電話機１０を例にしたが、本発明を適用な可能な携帯無線端末は携帯電話機１０に限られず、携帯電話機１０以外の、無線通信を行うことが可能な携帯型の端末装置であってもよい。
【００４５】
図６は、本発明による携帯無線端末の主要部を示すブロック図である。図６に示すように、携帯無線端末は、複数のアンテナ１，２（例えば、図２に示すアンテナ１２およびアンテナ１３に相当）を備えた携帯無線端末であって、人体の接近を検知すると検知信号を出力する複数の位置検出手段３，４（例えば、図２に示すセンサ１４およびセンサ１５に相当）と、複数種類のインピーダンス調整を行うことが可能な整合回路５（例えば、図２に示す整合回路２２に相当）と、検知信号を出力した位置検出手段がいずれの位置検出手段であるかに応じて複数のアンテナから一のアンテナを選択するアンテナ選択処理を実行するアンテナ選択手段６（例えば、図２に示す制御部２１および整合回路２２に相当）と、検知信号を出力した位置検出手段がいずれの位置検出手段であるかに応じたインピーダンス調整を整合回路５に行わせるインピーダンス整合処理を実行するインピーダンス整合手段７（例えば、図２に示す制御部２１に相当）とを備えている。
【００４６】
また、上記の実施形態では、以下の（１）〜（２）に示すような携帯無線端末も開示されている。
【００４７】
（１）第１筐体（例えば、図１に示す上部筐体１０１に相当）と第２筐体（例えば、図１に示す下部筐体１０２に相当）とを含む折り畳み型の携帯電話機であり、位置検出手段が、少なくとも第１筐体と第２筐体とに設置されている携帯電話機。
【００４８】
（２）アンテナ選択手段が、通信中に常時アンテナ選択処理を実行し、インピーダンス整合手段は、通信中に常時インピーダンス整合処理を実行する（図５参照）携帯電話機。
【符号の説明】
【００４９】
１，２  アンテナ
３，４  位置検出手段
５      整合回路
６      アンテナ選択手段
７      インピーダンス整合手段
１０    携帯電話機
１１    ＬＣＤ表示部
１２    アンテナ
１３    アンテナ
１４    センサ
１５    センサ
１６    キー操作部
１７    バッテリ
２１    制御部
２２    整合回路
２３    無線部
２４    メモリ
１０１  上部筐体
１０２  下部筐体
【図１】
2010239182.tif 000003
【図２】
2010239182.tif 000004
【図３】
2010239182.tif 000005
【図４】
2010239182.tif 000006
【図５】
2010239182.tif 000007
【図６】
2010239182.tif 000008